【事件の表示】
　平成　７年特許願第　４７４２４号「画像形成装置の定着部温度制御装置」拒絶査定に対する審判事件［平成　８年　９月２７日出願公開、特開平　８−２４８８０５］について、次のとおり審決する。
【結　論】
　本件審判の請求は、成り立たない。
【理　由】
１．手続の経緯
　本願は、平成7年3月7日の出願であって、平成13年1月15日付け（発送日　平成13年2月20日）で平成12年12月14日付け手続補正書について補正却下の決定がなされるとともに拒絶査定がなされ、これに対し平成13年3月22日に拒絶査定に対する審判請求がなされるとともに、平成13年4月23日付けで手続補正がなされたものである。
　
２．平成13年4月23日付けの手続補正（以下、「本件補正」という。）についての補正却下の決定
［補正却下の結論］
　平成13年4月23日付けの手続補正を却下する。
［理由］
（１）補正後の本願発明
　本件補正により特許請求の範囲の請求項１は
「【請求項１】　ヒータを加熱して得られる定着温度で転写トナー像を転写紙に定着させる定着部を備えるとともに複写動作を開始させるためのプリントキーを備えた画像形成装置において、上記定着温度より低い第１のセーブ温度を指示する第１の指示手段と、上記第１のセーブ温度より低い第２のセーブ温度を指示する第２の指示手段と、上記第１の指示手段が操作されたときは上記定着部の温度が上記第１のセーブ温度に設定されるように上記ヒータ制御を行い、上記第２の指示手段が操作されたときは上記定着部の温度が上記第２のセーブ温度に設定されるように上記ヒータ制御を行うセーブ制御手段と、上記定着部の温度が上記第１のセーブ温度または上記第２のセーブ温度から上記定着温度に復帰するように上記セーブ制御手段の動作を解除する解除キーと、上記解除キーが操作された後にプリントキーが押されたときに、上記定着部の温度が未だ上記定着温度に復帰していないときは上記定着温度に復帰するまで複写動作の開始を待機させ、上記定着温度に復帰したときに複写動作を開始させる制御部とを備えたことを特徴とする画像形成装置の定着部温度制御装置。」
と補正された。以下、「補正後の本願発明」という。
　補正後の本願発明が特許出願の際独立して特許を受けることができるものであるかについて検討する。
　
（２）引用刊行物記載の発明
　原査定の拒絶の理由に引用された引用例１（特開平5−323710号公報）および引用例３（特開昭61−262777号公報）には、次のような技術事項が図面とともに記載されている。
［引用例１（特開平5−323710号公報）］
ａ．【請求項１】　ヒータによって高温の定着温度に加熱されてトナー像に熱印加する定着部材を備えた画像形成装置において、前記定着部材の温度を検知する温度検知手段と、現在の時刻を計時する計時手段と、任意の時間帯であるパワーセーブ時間帯及びこのパワーセーブ時間帯に対応させて前記定着温度より低い任意の温度であるパワーセーブ温度を設定できる設定手段と、前記計時手段の計時時刻が前記パワーセーブ時間帯内の時刻である場合、非画像形成時に前記温度検知手段の温度検知信号を参照して前記定着部材が前記パワーセーブ温度となるように前記ヒータの発熱量を制御する制御手段とを備えたことを特徴とする画像形成装置。（特許請求の範囲の請求項１参照）
ｂ．本実施例の画像形成装置は、ユーザによって作動モードを選択できるように構成されており、作動モードの種類としては、通常モードＮ，パワーセーブモードＰ１及びＰ２がある。パワーセーブモードＰ１は、ユーザがタッチパネル30でパワーセーブ時間帯及びこのパワーセーブ時間帯に対応させてパワーセーブ温度を若しくはヒータ11cに対する駆動停止命令を装置に入力することにより、設定される動作モードである。（段落【0028】〜【0029】）
ｃ．図４はパワーセーブ時間帯及びパワーセーブ温度の入力例を示す説明図である。
　ここで、ユーザは、装置の使用頻度が非常に高い９時から17時を除く時間帯にパワーセーブモードＰ１を設定している。パワーセーブ時間帯において、比較的使用頻度の高い17時から18時までの時間帯に対応させてパワーセーブ温度ｔとしてｔ1を入力し、18時から20時までに対応させてｔ2を入力し、使用頻度が僅かである０時から９時及び20時から24時までに対応させて駆動停止命令を入力している。入力されたパワーセーブ温度ｔには、ｔ2＜ｔ1＜(定着温度)の関係がある。
このようにパワーセーブモードＰ１を設定することにより、パワーセーブ時間帯において、画像形成装置は、定着ローラ11aを定着温度より低いパワーセーブ温度ｔ1，ｔ2とし、又はヒータ11cによる定着ローラ11aに対する加熱を中止し、外部から画像形成命令が入力したときにだけ定着ローラ11aを定着温度に昇温して画像を形成し、画像形成完了後に再び定着ローラ11aをパワーセーブ温度ｔ1，ｔ2とし、又は定着ローラ11aに対する加熱を中止する。パワーセーブ温度ｔを使用頻度が高いパワーセーブ時間帯に対応させてｔ1とし、使用頻度が相対的に低いパワーセーブ時間帯に対応させてｔ1より低温であるｔ2としたことにより、使用頻度の高い時間帯において定着ローラ11aが定着温度に昇温するまでのユーザの待ち時間を減少でき、使用頻度の低い時間帯においてヒータ11cの消費電力を
減少できる。さらに、ほとんど使用されることがない時間帯においてヒータ11cをオフすることにより、装置の消費電力を零に近づけることができる。（段落【0030】、【0031】参照）
　
　以上の記載を対比のためにまとめると、
ア）引用例１記載の発明の摘記事項ｃ．の記載からみて、定着部の温度を、定着温度より低い第１のパワーセーブ温度ｔ1と第１のパワーセーブ温度ｔ1より低い第２のパワーセーブ温度ｔ2に設定されるようにヒータの発熱量を制御するパワーセーブ温度制御手段を備えているということができ、
イ）引用例１の摘記事項ａ．やｃ．の記載からみて、パワーセーブモードを解除する手段を具えているとみることができ、
　引用例１には次のような発明が図面とともに記載されている。
「定着温度で定着させる定着部の温度を、時間帯に合わせて定着温度より低い第１のパワーセーブ温度ｔ1と第１のパワーセーブ温度ｔ1より低い第２のパワーセーブ温度ｔ2に設定されるようにヒータの発熱量を制御するパワーセーブ温度制御手段と、パワーセーブモード制御を解除する手段とを備えた画像形成装置の定着部温度制御装置。」
　
［引用例３（特開昭61−262777号公報）］
ａ．１．複写動作遂行可能状態、および複写動作遂行不可能なプレヒート状態に定着部を制御する温度制御手段と、上記状態を判別する状態判別手段と、状態判別手段からのプレヒート状態判別信号、および操作パネル上の全てのキーのうち、何れか１つのキー操作信号を入力として、定着部が複写動作遂行可能状態となるよう温度制御手段を制御する信号を出力する入力制御手段とを有することを特徴とする定着部制御装置。（特許請求の範囲の項参照）
ｂ．第２図は操作パネルを示す図であり、図中右側から順に、プリントキー（11）、クリアキー（12）、テンキー（13）、割込みキー（14）、変倍率設定キー（15）、設定データ、トラブル状態等を表示する表示器（16）、濃度設定キー（17）、変倍率読出しキー（18）、プレヒートモード選択キー（19）を取付けている。（第3頁左上欄第13行〜同欄第19行参照）
ｃ．第３図は定着部制御装置の動作を示すフローチャートである。複写機の電源を投入した当初においては、ステップ１において定着部が所定の設定温度に昇温するまで待った後、ステップ２においてプレヒートモード選択キー（19）が操作されたか否かを判別する。そして、プレヒートモード選択キー（19）が操作されていなければ、ステップ３においてタイマによる計時時間をセットし、ステップ４において計時動作を行ない、ステップ５において計時時間が上記セットされた計時時間に達したか否かを判別する。（第3頁左上欄第20行〜右上欄第11行参照）
ｄ．もし、セットされた計時時間に達していないと判別された場合には、ステップ６においてプリントキー（11）が操作されたか否かを判別し、プリントキー（11）が操作されていればステップ７において複写動作遂行のための設定温度に昇温するまで待って、ステップ８において複写動作を行なった後、上記ステップ２以下の判別、処理を行なうが、プリントキー（11）が操作されていなければそのまま上記ステップ４以下の判別、処理を行なう。（第3頁右上欄第11行〜同欄第20行参照）
ｅ．他方、上記ステップ２においてプレヒート選択キー（19）が操作されたと判別された場合、または上記ステップ５においてセットされた計時時間に達したと判別された場合には、ステップ９において定着部の温度を複写動作遂行のための設定温度より低い温度に保持すべく温度制御手段（3）を駆動することにより、プレヒート状態に移行する。（第3頁右上欄第20行〜左下欄第7行参照）
ｆ．その後は、ステップ１０において何れかのキーが操作されるまで待ち、ステップ１１においてプリントキー（11）が操作されたか否かを判別する。そして、プリントキー（11）以外のキーが操作されたと判別された場合には、ステップ（12）において定着部の温度を複写動作遂行のための設定温度に保持すべく温度制御手段（3）を駆動することにより、プレヒート状態を解除し、ステップ２以下の判別、処理を行なう。（第3頁左下欄第8行〜同欄第16行参照）
ｇ．他方、ステップ（11）においてプリントキー（11）が操作されたと判別された場合には、ステップ１３において定着部の温度を複写動作遂行のための設定温度に保持すべく温度制御手段（3）を駆動することにより、プレヒート状態を解除し、ステップ７以下の判別、処理を行なう。（第3頁左下欄第16行〜右下欄第1行参照）
ｈ．また、プリントキー（11）を操作することにより、プレヒートモードを解除し、その後自動的に複写動作を開始するので、プレヒートモード解除時点で改めてプリントキーを操作する手間がかからず、他の事務処理の能率を阻害する虞れがなく、便利である。（第3頁右下欄第16行〜第4頁左上欄第1行参照）
ｉ．操作パネルを示す第２図において、プレヒートモード選択キー（19）には「PREHEAT ON/OFF」と表示されている。
　
　以上の記載を対比のためにまとめると、
ア）温度制御手段は、プレヒートモードが選択されたとき定着部の温度が複写動作遂行可能温度よりも低い温度に設定されるように制御するプレヒート制御手段を含むものであるということができ、
イ）第３図のステップ１１でプリントキー以外のキー（プレヒートモード選択キーを含む）が操作されたときプレヒート状態が解除され、その後ステップ５を経てステップ６でプリントキー操作があった場合は、ステップ７で定着部が複写動作用の設定温度になるまで待って複写動作を開始するものであり、「解除キーが操作された後にプリントキーが押されても定着部が複写動作遂行可能温度に未だ復帰していないときは、その状態になるまで複写動作の開始を待機させ、その状態に復帰したときに複写動作を開始させる制御手段を備え」ているということができ、
　引用例３には次のような発明が図面とともに記載されている。
「複写動作遂行可能温度で定着させる定着部を備えるとともに、複写動作を開始させるためのプリントキーを備えた複写機において、複写動作遂行可能温度よりも低い温度を指示するプレヒートモード選択キーと、プレヒートモード選択キーが操作されたときは定着部の温度が複写動作遂行可能温度よりも低い温度に設定されるように制御するプレヒート制御手段と、定着部の温度が複写動作遂行可能温度よりも低い温度から複写動作遂行可能温度に復帰するようにプレヒート制御手段の動作を解除するキーと、解除キーが操作された後にプリントキーが押されたときに、定着部の温度が複写動作遂行可能温度に未だ復帰していないときは、その状態になるまで複写動作の開始を待機させ、その状態に復帰したときに複写動作を開始させる制御手段を備えた複写機の定着部温度制御装置。
　解除キーは、プレヒートモード選択キー、プリントキー、それ以外のキーのいずれでもよい。」
　
（３）対比・判断
　補正後の本願発明を引用例３記載の発明と対比すると、
ア）引用例３記載の発明の「複写動作遂行可能温度」、「複写機」、「複写動作遂行可能温度よりも低い温度」、「プレヒートモード選択キー」は、それぞれ補正後の本願発明の「定着温度」、「画像形成装置」、「セーブ温度」、「定着温度より低いセーブ温度を指示する指示手段」に相当し、
イ）引用例３記載の発明において定着部は、通常ヒータを加熱して得られる定着温度で転写トナー像を転写紙に定着させる部位であるとみることができ、
ウ）引用例３記載の発明と補正後の本願発明とは、「定着温度より低いセーブ温度を指示する指示手段と、上記指示手段が操作されたときは上記定着部の温度が上記セーブ温度に設定されるように上記ヒータ制御を行うセーブ制御手段」とを備えている点で共通しているということができ、
　以上のことから、両者間には次のような一致点、相違点がある。
（一致点）
　ヒータを加熱して得られる定着温度で転写トナー像を転写紙に定着させる定着部を備えるとともに複写動作を開始させるためのプリントキーを備えた画像形成装置において、上記定着温度より低いセーブ温度を指示する指示手段と、上記指示手段が操作されたときは上記定着部の温度が上記セーブ温度に設定されるように上記ヒータ制御を行うセーブ制御手段と、上記定着部の温度が上記セーブ温度から上記定着温度に復帰するように上記セーブ制御手段の動作を解除する解除キーと、上記解除キーが操作された後にプリントキーが押されたときに、上記定着部の温度が未だ上記定着温度に復帰していないときは上記定着温度に復帰するまで複写動作の開始を待機させ、上記定着温度に復帰したときに複写動作を開始させる制御部とを備えたことを特徴とする画像形成装置の定着部温度制御装置。
（相違点）
　定着温度より低いセーブ温度を指示する指示手段と、指示手段が操作されたときは定着部の温度がセーブ温度に設定されるようにヒータ制御を行うセーブ制御手段が、補正後の本願発明は定着部の温度を２段階のセーブ温度を指示し、２段階の温度に設定されるものであるのに対して、引用例３記載の発明は１段階のセーブ温度を指示し、その温度に設定できるものである点
（相違点の検討）
　引用例１には、定着部の温度を、定着温度より低い第１のセーブ温度と、第１のセーブ温度より低い第２のセーブ温度に設定することによって、使用者が省エネルギーのレベルを選択できるようにする点が記載されており、引用例１記載の発明と引用例３記載の発明は、非画像形成時に定着部を定着温度より低いセーブ温度に保持できるようにして省エネルギーを図るという共通した課題を有するものであり両者を組み合わせるのに格別の阻害要因もないから、引用例３記載の発明の定着部のセーブ温度の設定を、引用例１記載の発明に基づいて２段階に設定することは、当業者が容易に考えつくことができた構成の変更である。
　なお、審判請求人は、引用例３記載の発明に関して、「このように、引用例３の第３図では、プリントキー以外のキーが操作された後には、定着部の温度が複写動作遂行のための設定温度に戻されることによりプレヒート状態が解除されてステップ(12)を抜けるまでの間は、プリントキーの操作を受け付けていない。
　従って、引用例３には、解除キーが操作された後にプリントキーが押されたときに、定着部の温度が未だ定着温度に復帰していないときは定着温度に復帰するまで複写動作の開始を待機させ、定着温度に復帰したときに複写動作を開始させるという本願が必須とする構成要件(Ａ６)については、開示はおろか示唆すらもなされていないと言わざるを得ない。」と主張しているので検討する。
　審判請求人は引用例３の上記摘記事項ｆ．の「そして、プリントキー（11）以外のキーが操作されたと判別された場合には、ステップ（12）において定着部の温度を複写動作遂行のための設定温度に保持すべく温度制御手段（3）を駆動することにより、プレヒート状態を解除し、ステップ２以下の判別、処理を行なう。」の記載をとらえて、定着部の温度が複写動作遂行のための設定温度に戻されるまではステップ１２を抜けることはなく、したがってプリントキー操作を受け付けることがないと主張しているものと理解する。
　しかし、ステップ１２はプレヒートモードを解除して通常モードに入るというステップであって、解除キーとしてプリントキー以外のキーを操作した場合、その後プリントキーを操作するのが普通であり、その場合、ステップ７において複写動作遂行のための設定温度に昇温するまで待ってステップ８の複写動作が実行されるものであるから、ステップ１２において複写動作遂行のための設定温度に昇温するまでプリントキーを受け付けないようにする必要はないし、また、引用例３の従来技術の説明に「また、電源投入から複写動作遂行可能開始までにおける操作性を改善するために、定着部の温度が複写動作遂行可能な設定温度まで昇温する以前にプリントキーの操作を行なうことにより、定着部の温度が設定温度まで昇温した時点で自動的に複写動作を開始させるもの・・・があった。」（第２頁左上欄第2行〜同欄第8行参照）と記載していることから、引用例３記載の発明の第３図のフローの説明を、審判請求人のように読み取るのは不自然であり、審判請求人の上記主張は採用できない。
（まとめ）
　したがって、補正後の本願発明は引用例３および引用例１記載の発明に基づいて、当業者が容易に発明をすることができたものであり、特許法第29条第2項の規定により、特許出願の際独立して特許を受けることができないものである。
（４）むすび
　以上のとおり、本件補正は、特許法第17条の2第5項で準用する同法第126条第4項の規定に違反するものであり、特許法第159条第1項で準用する特許法第53条第1項の規定により却下されるべきものである。
　
３．本願発明について
　平成13年4月23日付けの手続補正は上記のとおり却下され、平成12年12月14日付けの手続補正も前審において却下されたので、本願発明は、平成12年8月14日付けで補正された明細書および図面の記載からみて、その特許請求の範囲の請求項１および２に記載された次のとおりのものである。以下、「本願発明１」、「本願発明２」という。
　なお、審判請求人は前審においてした平成12年8月14日付け手続補正の却下の決定については、審判請求書において、審判請求時の補正によって解消されたとして直接的には不服を申し立てていない。
「【請求項１】　ヒータを加熱して得られる定着温度で転写トナー像を転写紙に定着させる定着部を備えた画像形成装置において、上記定着温度より低い第１のセーブ温度を指示する第１の指示手段と、上記第１のセーブ温度より低い第２のセーブ温度を指示する第２の指示手段と、上記第１の指示手段が操作されたときは上記定着部の温度が上記第１のセーブ温度に設定されるように上記ヒータ制御を行い、上記第２の指示手段が操作されたときは上記定着部の温度が上記第２のセーブ温度に設定されるように上記ヒータ制御を行うセーブ制御手段と、上記定着部の温度が上記第１のセーブ温度または上記第２のセーブ温度から上記定着温度に復帰するように上記セーブ制御手段の動作を解除する解除キーとを備えたことを特徴とする画像形成装置の定着部温度制御装置。
【請求項２】　請求項１記載の画像形成装置の定着部温度制御装置において、上記解除キーが操作された後にプリントキーが押されたときに、上記定着部の温度が未だ上記定着温度に復帰していないときは上記定着温度に復帰するまで複写動作の開始を待機させ、上記定着温度に復帰したときに複写動作を開始させる制御部を備えたことを特徴とする画像形成装置の定着部温度制御装置。」
　
４．対比・判断
　本願発明２は上記補正後の本願発明と実質的な差はなく、２．で補正後の本願発明は引用例３および引用例１記載の発明に基づいて当業者が容易に発明をすることができたものであるとしていると同様の理由で、本願発明２も引用例３および引用例１記載の発明に基づいて当業者が容易に発明をすることができたものである。
　また、本願発明１は本願発明２を含む発明であり、本願発明２が引用例３および引用例１記載の発明に基づいて当業者が容易に発明をすることができたものである以上、本願発明１も引用例３および引用例１記載の発明に基づいて当業者が容易に発明をすることができたものである。
　
５．むすび
　したがって、本願発明１および本願発明２は特許法第29条第2項の規定により特許を受けることができない。
　よって、結論のとおり審決する。